(57)【特許請求の範囲】
【請求項１】
被帯電体を帯電させる帯電部材と、
前記帯電部材の表面に接触し、前記帯電部材と従動回転するように配置され、当該帯電部材の表面を清掃する清掃部材であって、芯体と、前記芯体の外周面に、螺旋状に配置された弾性層と、を有し、前記弾性層の螺旋幅方向中央部における厚みをＴａ（ｍｍ）とし、前記弾性層の螺旋幅方向両端部における厚みをＴｂ（ｍｍ）としたとき、下記条件式（Ａ１）〜（Ａ２）を満たす清掃部材と、
を備える帯電装置。
・条件式（Ａ１）：１＜Ｔｂ／Ｔａ＜１．７５
・条件式（Ａ２）：０．５＜Ｔａ＜４．０
【請求項２】
下記条件式（Ｂ１）〜（Ｂ２）を満たす請求項１に記載の帯電装置。
・条件式（Ｂ１）： １．０２＜Ｔｂ／Ｔａ＜１．５
・条件式（Ｂ２）：１．０＜Ｔａ＜３．０
【請求項３】
前記弾性層の螺旋角度が１０°以上６５°以下、前記弾性層の螺旋幅が３ｍｍ以上２５ｍｍ以下である請求項１又は２に記載の帯電装置。
【請求項４】
前記弾性層における前記芯体の軸方向中央部の螺旋ピッチが、前記芯体の軸方向両端部の螺旋ピッチよりも小さい請求項１〜３のいずれか１項に記載の帯電装置。
【請求項５】
前記弾性層が、直線状の中央部と、前記中央部の長手方向の一端から幅方向の一方側に向かって屈曲又は湾曲して連結された第１端部と、前記中央部の長手方向の他端から幅方向の他方側に向かって屈曲又は湾曲して連結された第２端部と、で構成された短冊状の部材を前記芯体の軸方向の一端から他端にかけて巻き付けて設けられている請求項４に記載の帯電装置。
【請求項６】
前記弾性層が、シリコーンオイル以外の整泡剤を用いたエーテル系発泡ポリウレタンを含んで構成される請求項１〜５のいずれか１項に記載の帯電装置。
【請求項７】
請求項１〜６のいずれか１項に記載の帯電装置を少なくとも備え、
画像形成装置に脱着されるプロセスカートリッジ。
【請求項８】
像保持体と、
前記像保持体の表面を帯電させる帯電手段であって、請求項１〜６のいずれか１項に記載の帯電装置を有する帯電手段と、
帯電された前記像保持体表面に潜像を形成する潜像形成手段と、
前記像保持体に形成された前記潜像をトナーによって現像しトナー像とする現像手段と、
前記トナー像を被転写体に転写する転写手段と、
を備える画像形成装置。
【請求項９】
被清掃部材と、
前記被清掃部材の表面に接触し、前記帯電部材と従動回転するように配置され、前記被清掃部材の表面を清掃する清掃部材であって、芯体と、前記芯体の外周面に、螺旋状に配置された弾性層と、を有し、前記弾性層の螺旋幅方向中央部における厚みをＴａ（ｍｍ）とし、前記弾性層の螺旋幅方向両端部における厚みをＴｂ（ｍｍ）としたとき、下記条件式（Ａ１）〜（Ａ２）を満たす清掃部材と、
を備える画像形成装置用のユニット。
・条件式（Ａ１）：１＜Ｔｂ／Ｔａ＜１．７５
・条件式（Ａ２）：０．５＜Ｔａ＜４．０
【請求項１０】
下記条件式（Ｂ１）〜（Ｂ２）を満たす請求項９に記載の画像形成装置用のユニット。
・条件式（Ｂ１）： １．０２＜Ｔｂ／Ｔａ＜１．５
・条件式（Ｂ２）：１．０＜Ｔａ＜３．０
【請求項１１】
前記弾性層の螺旋角度が１０°以上６５°以下、前記弾性層の螺旋幅が３ｍｍ以上２５ｍｍ以下である請求項９又は１０に記載の画像形成装置用のユニット。
【請求項１２】
前記弾性層における前記芯体の軸方向中央部の螺旋ピッチが、前記芯体の軸方向両端部の螺旋ピッチよりも小さい請求項９〜１１のいずれか１項に記載の画像形成装置用のユニット。
【請求項１３】
前記弾性層が、直線状の中央部と、前記中央部の長手方向の一端から幅方向の一方側に向かって屈曲又は湾曲して連結された第１端部と、前記中央部の長手方向の他端から幅方向の他方側に向かって屈曲又は湾曲して連結された第２端部と、で構成された短冊状の部材を前記芯体の軸方向の一端から他端にかけて巻き付けて設けられている請求項１２に記載の画像形成装置用のユニット。
【請求項１４】
前記弾性層が、シリコーンオイル以外の整泡剤を用いたエーテル系発泡ポリウレタンを含んで構成される請求項９〜１３のいずれか１項に記載の画像形成装置用のユニット。
【請求項１５】
請求項９〜１４のいずれか１項に記載の画像形成装置用のユニットを少なくとも備え、
画像形成装置に脱着されるプロセスカートリッジ。
【請求項１６】
請求項９〜１４のいずれか１項に記載の画像形成装置用のユニットを備える画像形成装置。
【発明の詳細な説明】
【技術分野】
【０００１】
本発明は、帯電装置、画像形成装置用のユニット、プロセスカートリッジ、及び画像形成装置に関する。
【背景技術】
【０００２】
電子写真方式を用いた画像形成装置においては、先ず、感光体等からなる像保持体の表面を帯電装置によって帯電して電荷を形成し、画像信号を変調したレーザー光等で静電潜像を形成する。その後、帯電したトナーにより静電潜像を現像して可視化したトナー像が形成される。そして、該トナー像を中間転写体を介して、あるいは直接記録紙等の被転写体に静電的に転写し、被転写体に定着することにより画像が得られる。
【０００３】
ところで、特許文献１では、帯電ロールのクリーニング部材として発泡ロールを取り付ける方法が提案されている。
また、特許文献２では、帯電ロールとクリーニングロールに周速差を付ける方法が提案されている。
また、特許文献３、４では、スパイラル形状をしたクリーニングロール等により該汚染物に帯電ロールの長手方向に力を付加させる方法が提案されている。
【０００４】
また、特許文献５には、軸方向中央部の外径と軸方向両端部の外径とが異なるクリーニングロールが提案されている。
【先行技術文献】
【特許文献】
【０００５】
【特許文献１】特開平２−２７２５９４号公報
【特許文献２】特開平７−１２９０５５号公報
【特許文献３】特開平７−２１９３１３号公報
【特許文献４】特開２００１−２０９２３８号公報
【特許文献５】特開２００７−１９９２６４号公報
【発明の概要】
【発明が解決しようとする課題】
【０００６】
本発明の課題は、下記条件式（Ａ１）〜（Ａ２）を満たさない清掃部材を適用した場合に比べ、帯電部材の表面汚染に起因する帯電能の劣化が抑制された帯電装置を提供することである。
【課題を解決するための手段】
【０００７】
上記課題は、以下の手段により解決される。即ち、
請求項１に係る発明は、
被帯電体を帯電させる帯電部材と、
前記帯電部材の表面に接触し、前記帯電部材と従動回転するように配置され、当該帯電部材の表面を清掃する清掃部材であって、芯体と、前記芯体の外周面に、螺旋状に配置された弾性層と、を有し、前記弾性層の螺旋幅方向中央部における厚みをＴａ（ｍｍ）とし、前記弾性層の螺旋幅方向両端部における厚みをＴｂ（ｍｍ）としたとき、下記条件式（Ａ１）〜（Ａ２）を満たす清掃部材と、
を備える帯電装置。
・条件式（Ａ１）：１＜Ｔｂ／Ｔａ＜１．７５
・条件式（Ａ２）：０．５＜Ｔａ＜４．０
【０００８】
請求項２に係る発明は、
下記条件式（Ｂ１）〜（Ｂ２）を満たす請求項１に記載の帯電装置。
・条件式（Ｂ１）： １．０２＜Ｔｂ／Ｔａ＜１．５
・条件式（Ｂ２）：１．０＜Ｔａ＜３．０
【０００９】
請求項３に係る発明は、
前記弾性層の螺旋角度が１０°以上６５°以下、前記弾性層の螺旋幅が３ｍｍ以上２５ｍｍ以下である請求項１又は２に記載の帯電装置。
【００１０】
請求項４に係る発明は、
前記弾性層における前記芯体の軸方向中央部の螺旋ピッチが、前記芯体の軸方向両端部の螺旋ピッチよりも小さい請求項１〜３のいずれか１項に記載の帯電装置。
【００１１】
請求項５に係る発明は、
前記弾性層が、直線状の中央部と、前記中央部の長手方向の一端から幅方向の一方側に向かって屈曲又は湾曲して連結された第１端部と、前記中央部の長手方向の他端から幅方向の他方側に向かって屈曲又は湾曲して連結された第２端部と、で構成された短冊状の部材を前記芯体の軸方向の一端から他端にかけて巻き付けて設けられている請求項４に記載の帯電装置。
【００１２】
請求項６に係る発明は、
前記弾性層が、シリコーンオイル以外の整泡剤を用いたエーテル系発泡ポリウレタンを含んで構成される請求項１〜５のいずれか１項に記載の帯電装置。
【００１３】
請求項７に係る発明は、
請求項１〜６のいずれか１項に記載の帯電装置を少なくとも備え、
画像形成装置に脱着されるプロセスカートリッジ。
【００１４】
請求項８に係る発明は、
像保持体と、
前記像保持体の表面を帯電させる帯電手段であって、請求項１〜６のいずれか１項に記載の帯電装置を有する帯電手段と、
帯電された前記像保持体表面に潜像を形成する潜像形成手段と、
前記像保持体に形成された前記潜像をトナーによって現像しトナー像とする現像手段と、
前記トナー像を被転写体に転写する転写手段と、
を備える画像形成装置。
【００１５】
請求項９に係る発明は、
被清掃部材と、
前記被清掃部材の表面に接触し、前記帯電部材と従動回転するように配置され、前記被清掃部材の表面を清掃する清掃部材であって、芯体と、前記芯体の外周面に、螺旋状に配置された弾性層と、を有し、前記弾性層の螺旋幅方向中央部における厚みをＴａ（ｍｍ）とし、前記弾性層の螺旋幅方向両端部における厚みをＴｂ（ｍｍ）としたとき、下記条件式（Ａ１）〜（Ａ２）を満たす清掃部材と、
を備える画像形成装置用のユニット。
・条件式（Ａ１）：１＜Ｔｂ／Ｔａ＜１．７５
・条件式（Ａ２）：０．５＜Ｔａ＜４．０
【００１６】
請求項１０に係る発明は、
下記条件式（Ｂ１）〜（Ｂ２）を満たす請求項９に記載の画像形成装置用のユニット。
・条件式（Ｂ１）： １．０２＜Ｔｂ／Ｔａ＜１．５
・条件式（Ｂ２）：１．０＜Ｔａ＜３．０
【００１７】
請求項１１に係る発明は、
前記弾性層の螺旋角度が１０°以上６５°以下、前記弾性層の螺旋幅が３ｍｍ以上２５ｍｍ以下である請求項９又は１０に記載の画像形成装置用のユニット。
【００１８】
請求項１２に係る発明は、
前記弾性層における前記芯体の軸方向中央部の螺旋ピッチが、前記芯体の軸方向両端部の螺旋ピッチよりも小さい請求項９〜１１のいずれか１項に記載の画像形成装置用のユニット。
【００１９】
請求項１３に係る発明は、
前記弾性層が、直線状の中央部と、前記中央部の長手方向の一端から幅方向の一方側に向かって屈曲又は湾曲して連結された第１端部と、前記中央部の長手方向の他端から幅方向の他方側に向かって屈曲又は湾曲して連結された第２端部と、で構成された短冊状の部材を前記芯体の軸方向の一端から他端にかけて巻き付けて設けられている請求項１２に記載の画像形成装置用のユニット。
【００２０】
請求項１４に係る発明は、
前記弾性層が、シリコーンオイル以外の整泡剤を用いたエーテル系発泡ポリウレタンを含んで構成される請求項９〜１３のいずれか１項に記載の画像形成装置用のユニット。
【００２１】
請求項１５に係る発明は、
請求項９〜１４のいずれか１項に記載の画像形成装置用のユニットを少なくとも備え、
画像形成装置に脱着されるプロセスカートリッジ。
【００２２】
請求項１６に係る発明は、
請求項９〜１４のいずれか１項に記載の画像形成装置用のユニットを備える画像形成装置。
【発明の効果】
【００２３】
請求項１に係る発明によれば、上記条件式（Ａ１）〜（Ａ２）を満たさない清掃部材を適用した場合に比べ、帯電部材の表面汚染に起因する帯電能の劣化が抑制された帯電装置が提供される。
請求項２に係る発明によれば、上記条件式（Ｂ１）〜（Ｂ２）を満たさない清掃部材を適用した場合に比べ、帯電部材の表面汚染に起因する帯電能の劣化が抑制された帯電装置が提供される。
請求項３に係る発明によれば、上記弾性層の螺旋角度及び螺旋幅が上記範囲外である清掃部材を適用した場合に比べ、帯電部材の表面汚染に起因する帯電能の劣化が抑制された帯電装置が提供される。
請求項４に係る発明によれば、弾性層の螺旋ピッチが一定の清掃部材を適用した場合に比べ、帯電部材に対する軸方向中央部の接触圧を軸方向両端部よりも大きくした清掃部材を備える帯電装置が提供される。
請求項５に係る発明によれば、弾性層を形成するための短冊状の部材が、上記中央部、上記第１端部及び上記第２端部で構成されていない清掃部材を適用した場合に比べ、低コストで、帯電部材に対する軸方向中央部の接触圧を軸方向両端部よりも大きくした清掃部材を備えた帯電装置が提供される。
請求項６に係る発明によれば、整泡剤としてシリコーンオイルを用いたエーテル系発泡ポリウレタンを、弾性層の構成材料とした清掃部材を適用した場合に比べ、保管による画質欠陥が抑制された清掃部材を備える帯電装置が提供される。
請求項７、８に係る発明によれば、上記条件式（Ａ１）〜（Ａ２）を満たさない清掃部材を適用した帯電装置を備えた場合に比べ、帯電部材の表面汚染に起因する帯電能の劣化が抑制されたプロセスカートリッジ、画像形成装置が提供される。
【００２４】
請求項９に係る発明によれば、上記条件式（Ａ１）〜（Ａ２）を満たさない清掃部材を適用した場合に比べ、被清掃部材の表面汚染に起因する性能劣化を抑制された画像形成装置用のユニットが提供される。
請求項１０に係る発明によれば、上記条件式（Ｂ１）〜（Ｂ２）を満たさない清掃部材を適用した場合に比べ、被清掃部材の表面汚染に起因する性能劣化を抑制された画像形成装置用のユニットが提供される。
請求項１１に係る発明によれば、上記弾性層の螺旋角度及び螺旋幅が上記範囲外である清掃部材を適用した場合に比べ、被清掃部材の表面汚染に起因する性能劣化を抑制された画像形成装置用のユニットが提供される。
請求項１２に係る発明によれば、弾性層の螺旋ピッチが一定の清掃部材を適用した場合に比べ、被清掃部材に対する軸方向中央部の接触圧を軸方向両端部よりも大きくした清掃部材を備える画像形成装置用のユニットが提供される。
請求項１３に係る発明によれば、弾性層を形成するための短冊状の部材が、上記中央部、上記第１端部及び上記第２端部で構成されていない清掃部材を適用した場合に比べ、低コストで、被清掃部材に対する軸方向中央部の接触圧を軸方向両端部よりも大きくした清掃部材を備えた画像形成装置用のユニットが提供される。
請求項１４に係る発明によれば、整泡剤としてシリコーンオイルを用いたエーテル系発泡ポリウレタンを、弾性層の構成材料とした清掃部材を適用した場合に比べ、保管による画質欠陥が抑制された清掃部材を備える画像形成装置用のユニットが提供される。
請求項１５、１６に係る発明によれば、上記条件式（Ａ１）〜（Ａ２）を満たさない清掃部材を適用した画像形成装置用のユニットを備えた場合に比べ、被清掃部材の表面汚染に起因する性能劣化を抑制されたプロセスカートリッジ、画像形成装置が提供される。
【図面の簡単な説明】
【００２５】
【図１】本実施形態に用いる清掃部材を示す概略斜視図である。
【図２】本実施形態に用いる清掃部材の概略側面図である。
【図３】本実施形態に用いる清掃部材における弾性層の肉厚を示す拡大断面図である。
【図４】本実施形態に用いる清掃部材における弾性層の肉厚の他の例を示す拡大断面図である。
【図５】本実施形態に用いる清掃部材の製造方法の一例を示す工程図である。
【図６】他の本実施形態に用いる清掃部材を示す概略斜視図である。
【図７】他の本実施形態に用いる清掃部材の製造方法の一例を概略平面図である。
【図８】本実施形態に係る電子写真画像形成装置を示す概略構成図である。
【図９】本実施形態に係るプロセスカートリッジを示す概略構成図である。
【図１０】図８及び図９における帯電部材（帯電装置）周辺部分を拡大した概略構成図である。
【発明を実施するための形態】
【００２６】
以下、本発明の一例である実施形態について説明する。なお、同じ機能・作用を有する部材には、全図面と通して同じ符号を付与し、その説明を省略する場合がある。
【００２７】
（清掃部材）
図１は、本実施形態に用いる清掃部材を示す概略斜視図である。図２は、本実施形態に用いる清掃部材の概略側面図である。図３は、本実施形態に用いる清掃部材における弾性層の肉厚を示す拡大断面図である。図４は、本実施形態に用いる清掃部材における弾性層の肉厚の他の例を示す拡大断面図である。
なお、図３及び図４は、図１のＡ−Ａ断面図、つまり、弾性層の螺旋方向に対して直交方向に沿った断面図である。
【００２８】
本実施形態に用いる清掃部材１００（以下、単に清掃部材と称する）は、図１〜図３に示すように、ロール状の部材であり、芯体としてシャフト１００Ａと、弾性層１００Ｂと、を備えたロール状の部材である。弾性層１００Ｂは、シャフト１００Ａの表面に螺旋状に配置されている。具体的には、弾性層１００Ｂは、例えば、シャフト１００Ａの一端から他端にかけて、シャフト１００Ａの軸を螺旋軸とし、間隔を持って螺旋状に巻き回された状態で配置されている。
そして、弾性層１００Ｂは、弾性層１００Ｂの螺旋幅方向中央部における厚みをＴａ（ｍｍ）とし、弾性層１００Ｂの螺旋幅方向両端部における厚みをＴｂ（ｍｍ）としたとき、下記条件式（Ａ１）〜（Ａ２）を満たしている（図３参照）。
・条件式（Ａ１）：１＜Ｔｂ／Ｔａ＜１．７５
・条件式（Ａ２）：０．５＜Ｔａ＜４．０
【００２９】
本実施形態に用いる清掃部材１００では、上記構成により、清掃能力に優れたものとなる。この理由は定かではないが以下に示す理由によるものと考えられる。
【００３０】
まず、弾性層１００Ｂの螺旋幅方向中央部における厚みＴａ（以下、中央部厚みＴａと称する）、及び弾性層１００Ｂの螺旋幅方向両端部における厚みＴｂ（以下、両端部厚みＴｂと称する）は、条件式（Ａ１）を満たすと、弾性層１００Ｂの螺旋幅両端部において螺旋幅中央部よりも清掃部材１００の外側に突出した状態となる。そして、条件式（Ａ１）を満たした状態で、条件式（Ａ２）を満たすと、弾性層１００Ｂの螺旋幅方向両端部における突出部が適度な反発力を有するものと考えられる。
清掃部材１００は、回転に伴い、螺旋状に配置された弾性層１００Ｂが被清掃部材の表面（被清掃面）に対して接触・離間を繰り返して清掃を行い、被清掃部材の表面（被清掃面）を基準にして見ると、弾性層１００Ｂの螺旋幅方向両端部の角部（エッジ部）が清掃部材１００の軸方向（螺旋軸方向）に力が付加されて清掃を行う。
そして、弾性層１００Ｂの螺旋幅方向両端部における突出部が適度な反発力を有すると、弾性層１００Ｂが被清掃部材の表面（被清掃面）に対して離間する際、当該突出部の反発力により、被清掃部材の表面（被清掃面）に対して摺擦する力が働くものと考えられる。
このため、本実施形態に用いる清掃部材１００では、上記構成により、清掃能力に優れるものと考えられる。
【００３１】
なお、弾性層１００Ｂは、下記条件式（Ｂ１）〜（Ｂ２）を満たすことが望ましい。く、条件式（Ｃ１）〜（Ｃ２）を満たすことがより望ましい。
−望ましい条件式−
・条件式（Ｂ１）：１.０２＜Ｔｂ／Ｔａ＜１．５
・条件式（Ｂ２）：１．０＜Ｔａ＜３．０
−より望ましい条件式−
・条件式（Ｃ１）：１.０３＜Ｔｂ／Ｔａ＜１．３５
・条件式（Ｃ２）： １．５＜Ｔａ＜２．５
【００３２】
弾性層１００Ｂにおける中央部厚みＴａ及び両端部厚みＴｂは、例えば、次のようにして測定する。
レーザー測定機（ミツトヨ社製レーザースキャンマイクロメータ、型式：ＬＳＭ６２００）を用いて、清掃部材の周方向は固定した状態で、１ｍｍ／ｓのトラバース速度にて清掃部材の長手方向（軸方向）へスキャンさせて弾性層厚み（弾性層肉厚）のプロファイルの測定を行う。その後、周方向位置をずらし同様の測定を行う（周方向位置は１２０°間隔、３箇所）。このプロファイルを基に弾性層１００Ｂにおける中央部厚みＴａ及び両端部厚みＴｂの算出を行う。
【００３３】
弾性層１００Ｂを上記条件式を満たすようにする手法としては、例えば、１）切削加工により弾性層を形成する場合、ＮＣ（ｎｕｍｅｒｉｃａｌ  ｃｏｎｔｒｏｌ：数値制御）付き旋盤を適用し、ＮＣ制御により行う手法、２）金型成形により弾性層１００Ｂを形成する場合、金型の寸法制御により行う手法、３）短冊状に形成した弾性層（以下単に「短冊」という場合がある）をシャフトに巻き付けて弾性層１００Ｂを形成する場合、短冊の厚み、短冊を巻き付ける曲率、短冊を巻き付けるときの張力等を制御することで行う手法が挙げられる。
【００３４】
また、弾性層１００Ｂを上記条件式を満たすようにする手法としては、例えば、上記方法により弾性層を形成した後、その螺旋幅方向両端部上に、他の短冊をシャフトに巻き付けて、当該短冊による弾性層１００Ｂの突出部を形成する手法も挙げられる。
つまり、弾性層１００Ｂは、図３に示すように、一部材で構成された形態であってもよいし、図４に示すように、例えば、下地弾性層１００Ｂ１と、下地弾性層１００Ｂ１の螺旋幅両端部上に突出して設けられた突出弾性層１００Ｂ２と、の２部材で構成された形態であってもよい。
【００３５】
ここで、弾性層１００Ｂは、螺旋状に配置されているが、具体的には、例えば、螺旋角度θが１０°以上６５°以下（望ましくは２０°以上５０°以下）、螺旋幅Ｒ１が３ｍｍ以上２５ｍｍ以下（望ましくは３ｍｍ以上１０ｍｍ以下）であることがよい。また、螺旋ピッチＲ２は、例えば、３ｍｍ以上２５ｍｍ以下（望ましくは１５ｍｍ以上２２ｍｍ以下）であることがよい。
特に、短冊をシャフトに巻き付けて弾性層１００Ｂを形成する場合、上記螺旋角度及び螺旋幅の範囲となるように制御することで、上記条件式を満たし易くなる、つまり、清掃能力が向上するため好適である。
【００３６】
また、弾性層１００Ｂは、被覆率（弾性層１００Ｂの螺旋幅Ｒ１／［弾性層１００Ｂの螺旋幅Ｒ１＋弾性層１００Ｂの螺旋ピッチＲ２：（Ｒ１＋Ｒ２）］）は、２０％以上７０％以下であることがよく、望ましくは２５％以上５５％以下である。
この被覆率を上記範囲よりも大きいと、弾性層１００Ｂが被清掃部材に接触する時間が長くなるため、清掃部材の表面に付着する付着物が被清掃部材へ再汚染する傾向が高くなる一方で、被覆率が上記範囲より小さいと、弾性層１００Ｂの厚み（肉厚）が安定し難くなり、清掃能力が低下する傾向となる。
【００３７】
なお、螺旋角度θとは、弾性層１００Ｂの長手方向Ｐ（螺旋方向）と清掃部材の軸方向Ｑ（シャフト軸方向）とが交差する角度（鋭角）を意味する。
螺旋幅Ｒ１とは、弾性層１００Ｂの清掃部材１００の軸方向Ｑ（シャフト軸方向）に沿った長さを意味する。
螺旋ピッチＲ２とは、弾性層１００Ｂの清掃部材１００の軸方向Ｑ（シャフト軸方向）に沿った、隣合う弾性層１００Ｂ間の長さを意味する。
また、弾性層１００Ｂとは１００Ｐａの外力印加により変形しても、もとの形状に復元する材料から構成される層をいう。
【００３８】
以下、各部材について詳細に説明する。
【００３９】
まず、シャフトにについて説明する。
シャフト１００Ａに用いる材質としては、金属（例えば、快削鋼又はステンレス鋼等）、又は樹脂（例えば、ポリアセタール樹脂（ＰＯＭ）等）が挙げられる。なお、材質及び表面処理方法等は必要に応じて選択するのが望ましい。
特に、シャフト１００Ａが金属で構成される場合メッキ処理を施すのが望ましい。また、樹脂等で導電性を有さない材質の場合、メッキ処理等の一般的な処理により加工して導電化処理を行ってもよいし、そのまま使用してもよい。
【００４０】
次に、弾性層について説明する。
弾性層１００Ｂの材料としては、ポリウレタン、ポリエチレン、ポリアミド、又はポリプロピレン等の発泡性の樹脂、或いは、シリコーンゴム、フッ素ゴム、ウレタンゴム、ＥＰＤＭ、ＮＢＲ、ＣＲ、塩素化ポリイソプレン、イソプレン、アクリロニトリル−ブタジエンゴム、スチレン−ブタジエンゴム、水素添加ポリブタジエン、ブチルゴム等のゴム材料を１種類、又は２種類以上をブレンドしてなる材料が挙げられる。なお、これらには必要に応じて、発泡助剤、整泡剤、触媒、硬化剤、可塑剤、又は加硫促進剤等の助剤を加えてもよい。
【００４１】
これらの中も、気泡を有する材料（いわゆる発泡体）がよく、特に、擦れによる被清掃部材の表面に傷を付けない、長期に渡り千切れや破損が生じないようにする観点から、引っ張りに強い発泡ポリウレタンであることが望ましい。
ポリウレタンとしては、例えば、ポリオール（例えばポリエステルポリオール、ポリーエテルポリエステルやアクリルポリール等）と、イソシアネート（例えば、２，４−トリレンジイソシアネート、２，６−トリレンジイソシアネートや４，４−ジフェニルメタンジイソシアネート、トリジンジイソシアネート、１，６−ヘキサメチレンジイソシアネート等）と、の反応物が挙げられ、鎖延長剤（１，４−ブタンジオール、トリメチロールプロパン）が含まれたものであってもよい。そして、ポリウレタンの発泡は、例えば、水やアゾ化合物（例えばアゾジカルボンアミド、アゾビスイソブチロニトリル等）等の発泡剤を用いて行われるのが一般的である。また、発泡ポリウレタンには、必要に応じて発泡助剤、整泡剤、触媒などの助剤を加えてもよい。
【００４２】
そして、これらの発泡ポリウレタンの中も、エーテル系発泡ポリウレタンがよい。これは、エステル系発泡ポリウレタンは、湿熱劣化し易い傾向があるためである。エーテル系ポリウレタンは主としてシリコーンオイルの整泡剤が使用されるが、保管（特に高温高湿下での長期保管）にてシリコーンオイルが被清掃部材（例えば帯電ロール等）へ移行することによる画質欠陥が発生することがある。その為、シリコーンオイル以外の整泡剤を用いることで、弾性層１００Ｂの画質欠陥が抑制される。
ここで、シリコーンオイル以外の整泡剤として具体的には、例えば、Ｓｉを含まない有機系の界面活性剤（例えば、ドデシルベンゼンスルホン酸、ラウリル硫酸ナトリウム等のアニオン系界面活性剤）が挙げられる。また、特開２００５−３０１０００に記載のシリコーン系整泡剤を用いない製法も適用できる。
【００４３】
弾性層１００Ｂの構成としては、１層構成でも積層構成でも構わない。具体的には、弾性層１００Ｂの構成としては、例えば、発泡体１層からなる構成でも、ソリッド層と発泡層との２層の構成でも構わない。
【００４４】
次に、本実施形態に用いる清掃部材１００の製造方法について説明する。
図５は、本実施形態に用いる清掃部材１００の製造方法の一例を示す工程図である。
【００４５】
本実施形態に用いる清掃部材１００の製造方法は、例えば、次の方法が挙げられる。
１）角柱状に成型された弾性層用部材（発泡ポリウレタン等）を準備し、弾性層用部材にドリル等によってシャフト１００Ａを挿入する穴を形成し、次いで、外周表面に接着剤を塗布したシャフト１００Ａを弾性層用部材の穴に挿入した後、弾性層用部材に対して切削加工を施して弾性層を形成して、清掃部材を得る方法。
２）金型により成形された円柱状の弾性層用部材（発泡ポリウレタン等）を準備し、弾性層用部材にドリル等によってシャフト１００Ａを挿入する穴を形成し、次いで、外周表面に接着剤を塗布したシャフト１００Ａを弾性層用部材の穴に挿入して、清掃部材を得る方法。
３）シート状の弾性層用部材（発泡ポリウレタンシート等）を準備し、これに両面テープを貼り付けた後、打ち抜いて短冊を得て、これをシャフト１００Ａに巻き付けて弾性層１００Ｂを形成して、清掃部材を得る方法。
【００４６】
これらの中でも、短冊をシャフトに巻き付けて弾性層１００Ｂを形成し、清掃部材を得る方法が簡便でよい。
本方法をより詳細に説明すると、まず、図５（Ａ）に示すように、目的の厚みとなるようにスライス加工を施したシート状の弾性層用部材（発泡ポリウレタンシート等）を準備し、このシート状の弾性層用部材の片面に、両面テープ（不図示）を貼り付けた後、打ち抜き型により当該部材を打ち抜いて、目的とする幅・長さの短冊１００Ｃ（両面テープ付き短冊）を得る。一方で、シャフト１００Ａも準備する。
次に、図５（Ｂ）に示すように、両面テープが付いた面を上方にして短冊を配置し、この状態で両面テープの剥離紙の一端を剥がし、当該剥離紙を剥離した両面テープ上にシャフト１００Ａの一端部を載せる。
次に、図５（Ｃ）に示すように、両面テープの剥離紙を剥がしながら、目的とする速度でシャフト１００Ａを回転させて、シャフト１００Ａの外周面に短冊１００Ｃを螺旋状に巻き付けていき、シャフト１００Ａの外周面に螺旋状に配置された弾性層１００Ｂを有する清掃部材１００を得る。
【００４７】
ここで、弾性層１００Ｂとなる短冊１００Ｃをシャフト１００Ａに巻き付ける際、シャフト１００Ａの軸方向に対して、短冊１００Ｃの長手方向が目的の角度（螺旋角度）となるように、短冊１００Ｃに位置を合わせればよい。また、シャフト１００Ａの外径は、例えば、φ３ｍｍ以上φ６ｍｍ以下程度にすることがよい。
【００４８】
短冊１００Ｃをシャフト１００Ａに巻き付ける際に付与する張力は、シャフト１００Ａと短冊１００Ｃの両面テープとの間に隙間ができない程度であることがよく、過度に張力を付与しないことがよい。張力を付与し過ぎると、引っ張り永久伸びが大きくなり、清掃に必要な弾性層１００Ｂの弾性力が落ちる傾向があるためである。具体的には、例えば、元の短冊１００Ｃの長さに対して０％％以上５％の伸びになる張力とすることがよい。
【００４９】
一方で、短冊１００Ｃをシャフト１００Ａに巻き付けると、短冊１００Ｃが伸びる傾向がある。この伸びは、短冊１００Ｃの厚み方向で異なり最外郭が最も伸びる傾向があり、弾性力が落ちることがある。そのため、短冊１００Ｃをシャフト１００Ａに巻き付けた後における最外郭の伸びが、元の短冊１００Ｃの最外郭に対して５％%程度になることがよい。
この伸びは、短冊１００Ｃがシャフト１００Ａに巻き付く曲率半径と短冊１００Ｃの厚みにより制御され、短冊１００Ｃがシャフト１００Ａに巻き付く曲率半径はシャフト１００Ａの外径及び短冊１００Ｃの巻き付け角度により制御される。
短冊１００Ｃがシャフト１００Ａに巻き付く曲率半径は、例えば、（（シャフト外径／２）＋０．２ｍｍ）以上［（シャフト外径／２）＋８．５ｍｍ）以下にすることがよく、望ましくは（（シャフト外径／２）＋０．５ｍｍ）以上（（シャフト外径／２）＋７．０ｍｍ）以下である。
短冊１００Ｃの厚みとしては、例えば、１．５ｍｍ以上４ｍｍ以下程度がよく、望ましくは１．５ｍｍ以上３．０ｍｍ以下である。また、短冊１００Ｃの幅としては、弾性層１００Ｂの被覆率が上記範囲となるように調整することがよい。また、短冊１００Ｃの長さは、シャフト１００Ａに巻き付ける領域の軸方向長さと巻き角度と巻き付ける際の張力により決定される。
【００５０】
なお、本実施形態に用いる清掃部材１００は、上記構成に限られず、例えば、図６に示すように、弾性層１００Ｂにおけるシャフト１００Ａの軸方向中央部の螺旋ピッチＲ２が、シャフト１００Ａの軸方向両端部の螺旋ピッチＲ２よりも小さい構成であることがよい（以下、本構成の形態を図６に示す形態と称する）。
この構成により、弾性層１００Ｂは、シャフト１００Ａの軸方向中央部において軸方向両端部よいも密に存在し、シャフト１００Ａの軸方向両端部において軸方向中央部よりも粗に存在することとなる。
このため、清掃部材１００を被清掃部材に接触させたとき、清掃部材１００の軸方向中央部では、軸方向両端部よりも弾性層１００Ｂが密に存在する分、被清掃部材に対する接触圧が大きくなる。
その結果、例えば、被清掃部材自体を画像形成装置中の他の部材に圧力を付加した状態で接触して配置したとき、当該被清掃部材と当該他の部材との軸方向にわたる接触圧の不均一が抑制される。
【００５１】
被清掃部材（特に帯電ロールや転写ロール）自体を、画像形成装置中の他の部材に圧力を付加した状態で接触して配置する場合、その軸方向の中央部の接触圧が低くなる傾向にあり、これを抑制するために、軸方向中央部の外径を軸方向両端部よりも大きくすることが考えられるが、大きくしすぎると、軸方向両端部での接触圧が弱くなりすぎてしまう傾向がある。
このため、被清掃部材に対する清掃部材１００の軸方向中央部の接触圧を軸方向両端部よりも大きくすることで、この接触圧を通じて、他の部材に対する被清掃部材自体の軸方向中央部の接触圧を軸方向両端部よりも大きくなり、当該被清掃部材と当該他の部材との軸方向にわたる接触圧の不均一が抑制される。
具体的には。例えば、被清掃部材が帯電部材（帯電ロール）の場合、帯電部材と像保持体との接触圧が軸方向にわって均一に保たれ易くなり、当該軸方向に沿った帯電ムラが抑制される。また、例えば、被清掃部材が転写部材（転写ロール）の場合、帯電部材と像保持体や中間転写体との接触圧が軸方向にわって均一に保たれ易くなり、当該軸方向に沿った転写ムラが抑制される。
【００５２】
図６に示す形態に係る清掃部材１００において、清掃部材１００の軸方向中央部と軸方向両端部との螺旋ピッチＲ２の差は、例えば、軸方向両端部の螺旋ピッチＲ２に対して１０％以上１００％以下であることがよく、望ましくは２０％以上７０％以下であることがよい。この差が上記範囲であると、清掃部材１００の軸方向両端部における被清掃部材に対する接触圧を過剰に低下させずに、軸方向中央部での被清掃部材に対する接触圧を高められる。
なお、清掃部材１００の軸方向中央部とは、清掃部材１００の軸方向長さに対して少なくとも４０％以上６０％以下に当たる領域を意味する。
【００５３】
また、図６に示す形態に係る清掃部材１００を、簡易且つ低コストで作製するには、例えば、図７に示すように、短冊１００Ｃ（短冊状に形成した弾性層）をシャフト１００Ａに巻き付けて弾性層１００Ｂを形成する際、短冊１００Ｃとして、直線状の中央部１００Ｃ−１と、中央部１００Ｃ−１の長手方向の一端から幅方向の一方側に向かって屈曲又は湾曲して連結された第１端部１００Ｃ−２と、中央部１００Ｃ−１の長手方向の他端から幅方向の他方側に向かって屈曲又は湾曲して連結された第２端部１００Ｃ−３と、で構成された短冊１００Ｃを適用する方法が好適である。
【００５４】
短冊１００Ｃにおいて、例えば、短冊１００Ｃをシャフト１００Ａに巻き付ける際に、短冊１００Ｃ及びシャフト１００Ａを配置した状態で、短冊１００Ｃの第１端部１００Ｃ−２は、幅方向のうちシャフト１００Ａへ遠ざかる方向に向かって中央部１００Ｃ−１の長手方向の一端から屈曲又は湾曲して連結された端部であって、巻き付けを開始する先端側となる端部とし、短冊１００Ｃの第２端部１００Ｃ−３は、幅方向のうちシャフト１００Ａへ近くなる方向に向かって中央部１００Ｃ−１の長手方向の他端から屈曲又は湾曲して連結された端部であって、巻き付けが終わる終端側となる端部としている。
つまり、短冊１００Ｃは、中央部１００Ｃ−１が、巻き付けを開始する先端側となる第１端部１００Ｃ−２及び巻き付けが終わる終端側となる第２端部１００Ｃ−３よりも、シャフト１００Ａの軸方向に対して小さい大きい角度で巻き付けられるように構成されている（但し、第１端部１００Ｃ−２と第２端部１００Ｃ−３とでは同じである）。
言い換えれば、短冊１００Ｃは、短冊１００Ｃの中央部１００Ｃ−１の長手方向とシャフト１００Ａの軸方向との成す角度（鋭角）をθｃ、短冊１００Ｃの第１端部１００Ｃ−２の長手方向とシャフト１００Ａの軸方向との成す角度（鋭角）をθｅ１、短冊１００Ｃの第２端部１００Ｃ−３の長手方向とシャフト１００Ａの軸方向との成す角度（鋭角）をθｅ２としたとき、式：θｃ＞θｅ１、式：θｃ＞θｅ２、式：θｅ１＝θｅ２を満たすように構成することがよい。
【００５５】
これにより、当該構成の短冊１００Ｃをシャフト１００Ａに巻き付けると、シャフト１００Ａの軸方向中央部での弾性層１００Ｂの螺旋角度θがシャフト１００Ａの両端部での弾性層１００Ｂの螺旋角度θよりも大きくなって、弾性層１００Ｂが形成され、その結果、得られる清掃部材１００は、弾性層１００Ｂにおけるシャフト１００Ａの軸方向中央部の螺旋ピッチＲ２が、シャフト１００Ａの軸方向両端部の螺旋ピッチＲ２よりも小さい構成となる。
【００５６】
また、図７に示すように、短冊１００Ｃは、中央部１００Ｃ−１の幅を第１端部１００Ｃ−２及び第２端部１００Ｃ−３の幅よりも大きくして構成することもよい。具体的には、短冊１００Ｃは、中央部１００Ｃ−１の幅をＲｃ、第１端部１００Ｃ−２の幅をＲｅ１、第２端部１００Ｃ−３をＲｅ２としたとき、式：Ｒｃ＞Ｒｅ１、式：Ｒｃ＞Ｒｅ２、式：Ｒｅ１＝Ｒｅ２を満たすように構成することがよい。
これによっても、当該構成の短冊１００Ｃをシャフト１００Ａに巻き付けると、シャフト１００Ａの軸方向中央部での弾性層１００Ｂの螺旋幅Ｒ１がシャフト１００Ａの両端部での弾性層１００Ｂの螺旋幅Ｒ１よりも大きくなって、弾性層１００Ｂが形成され、その結果、得られる清掃部材１００は、弾性層１００Ｂにおけるシャフト１００Ａの軸方向中央部の螺旋ピッチＲ２が、シャフト１００Ａの軸方向両端部の螺旋ピッチＲ２よりも小さい構成となる。
【００５７】
（画像形成装置等）
以下、本実施形態に係る画像形成装置について図面に基づいて説明する。
図８は、本実施形態に係る画像形成装置を示す概略構成図である。
【００５８】
本実施形態に係る画像形成装置１０は、例えば、図８に示すように、タンデム方式のカラーの画像形成装置である。本実施形態に係る画像形成装置１０の内部には、感光体（像保持体）１２や帯電部材１４や現像装置等が、イエロー（１８Ｙ）、マゼンタ（１８Ｍ）、シアン（１８Ｃ）、及び黒（１８Ｋ）が各色毎にプロセスカートリッジ（図９参照）として備えられている。このプロセスカートリッジは、画像形成装置１０に脱着される構成となっている。
【００５９】
感光体１２としては、例えば、表面に有機感材等よりなる感光体層が被覆された直径が２５ｍｍの導電性円筒体が用いられ、図示しないモータにより、１５０ｍｍ／ｓｅｃのプロセススピードで回転駆動される。
【００６０】
感光体１２の表面は、感光体１２表面に配置された帯電部材１４によって帯電された後、帯電部材１４より感光体１２の回転方向下流側に、露光装置１６から出射されるレーザービームＬＢによって画像露光が施され、画像情報に応じた静電潜像が形成される。
【００６１】
感光体１２上に形成された静電潜像は、イエロー（Ｙ）、マゼンタ（Ｍ）、シアン（Ｃ）、黒（Ｋ）の各色の現像装置１９Ｙ、１９Ｍ、１９Ｃ、１９Ｋによって現像され、各色のトナー像となる。
【００６２】
例えば、カラーの画像を形成する場合、各色の感光体１２の表面には、帯電・露光・現像の各工程が、イエロー（Ｙ）、マゼンタ（Ｍ）、シアン（Ｃ）、黒（Ｋ）の各色に対応して行なわれ、各色の感光体１２の表面には、イエロー（Ｙ）、マゼンタ（Ｍ）、シアン（Ｃ）、黒（Ｋ）の各色に対応したトナー像が形成される。
【００６３】
感光体１２上に順次形成されるイエロー（Ｙ）、マゼンタ（Ｍ）、シアン（Ｃ）、黒（Ｋ）の各色のトナー像は、支持ロール４０，４２で張力が付与されつつ内周面から支持された用紙搬送ベルト２０を介して感光体１２と転写装置２２が接する箇所にて、感光体１２の外周に用紙搬送ベルト２０上を搬送される記録用紙２４へ転写される。さらに、感光体１２上からトナー像が転写された記録用紙２４は、定着装置６４へと搬送され、この定着装置６４によって加熱・加圧されてトナー像が記録用紙２４上に定着される。その後、片面プリントの場合には、トナー像が定着された記録用紙２４は、排出ロール６６によって画像形成装置１０の上部に設けられた排出部６８上にそのまま排出される。
なお、記録用紙２４は、用紙収納容器２８から取出ローラ３０により取り出され、搬送ロール３２，３４により用紙搬送ベルト２０まで一般まで、搬送される。
【００６４】
−方、両面プリントの場合には、定着装置６４により第一面（表面）にトナー像が定着された記録用紙２４を、排出ロール６６によって排出部６８上にそのまま排出せずに、排出ロール６６によって記録用紙２４の後端部を狭持した状態で、排出ロール６６を逆転させるとともに、記録用紙２４の搬送径路を両面用の用紙搬送路７０に切り替え、この両面用の用紙搬送路７０に配設された搬送ロール７２によって、記録用紙２４の表裏を反転した状態で、再度、用紙搬送ベルト２０上へ搬送して、記録用紙２４の第二面（裏面）に感光体１２上からトナー像を転写する。そして、記録用紙２４の第二面（裏面）のトナー像を定着装置６４によって定着させ、記録媒体２４（被転写体）を排出部６８上に排出する。
【００６５】
なお、トナー像の転写工程が終了した後の感光体１２の表面は、感光体１２が１回転する毎に、感光体１２の表面であって、転写装置２２が接する箇所よりも感光体１２の回転方向下流側に配置された清掃ブレード８０によって、残留トナーや紙粉などが除去され、次の画像形成工程に備えるようになっている。
【００６６】
ここで、図１０に示すごとく、帯電部材１４は、例えば、導電性シャフト１４Ａの周囲に弾性層１４Ｂが形成されたロールであり、シャフト１４Ａは回転自在に支持されている。帯電部材１４の感光体１２と反対側には、帯電部材１４の清掃部材１００が接触して、帯電装置（ユニット）を構成している。この清掃部材１００として、本実施形態に用いる清掃部材１００が用いられる。
ここでは、清掃部材１００を帯電部材１４へ常時当接させ、帯電部材１４と従動させて使用する方法に関して説明を行うが、清掃部材１００は常時接触させて従動による使用でもよいし、帯電部材１４のクリーニング時のみ接触させ従動する使用でもよい。また、清掃部材１００は、帯電部材１４のクリーニング時のみ接触させ、別駆動により帯電部材１４に対して周速差を付けても構わない。但し、清掃部材１００を常時帯電部材１４へ接触させて周速差を付ける方法は帯電部材１４上の汚れを清掃部材１００へ溜め込み、帯電ロールへ再付着させる易くなることから、望ましくない。
【００６７】
帯電部材１４はシャフト１４Ａの両端へ荷重Ｆをかけて感光体１２へ押付け、弾性層１４Ｂの周面に沿って弾性変形してニップ部を形成している。更に、清掃部材１００はシャフト１００Ａの両端へ荷重Ｆ’をかけて帯電部材１４へ押付け、弾性層１００Ｂが帯電部材１４の周面に沿って弾性変形してニップ部を形成することで、帯電部材１４の撓みを抑えて、帯電部材１４と感光体１２の軸方向のニップ部を形成している。
【００６８】
感光体１２は、図示しないモータによって矢印Ｘ方向に回転駆動され、感光体１２の回転により帯電部材１４が矢印Ｙ方向に従動回転する。また、帯電部材１４の回転により清掃部材１００が矢印Ｚ方向に従動回転する。
【００６９】
−帯電部材の構成−
以下、帯電部材の説明をするが、以下の構成に限定されるものではない。
【００７０】
帯電部材の構成としては、特に限定されるものではないが、例えば、シャフト、弾性層、若しくは弾性層の代わりに樹脂層を有する構成が挙げられる。弾性層は単層構成からなるものであってよく、幾つもの機能を持った複数の異なる層からなる積層構成であってもよい。更には、弾性層の上に表面処理を行ってもよい。
【００７１】
シャフトの材質としては快削鋼、ステンレス鋼等を使用し、摺動性等の用途に応じて材質及び表面処理方法は適時選択するのが望ましい。また、メッキ処理するのが望ましい。導電性を有さない材質の場合、メッキ処理等一般的な処理により加工して導電化処理を行ってもよいし、そのまま使用してもよい。
【００７２】
弾性層は導電性弾性層とするが、導電性弾性層は、例えば、弾性を有するゴム等の弾性材、導電性弾性層の抵抗を調整するカーボンブラックやイオン導電材等の導電材、必要に応じて軟化剤、可塑剤、硬化剤、加硫剤、加硫促進剤、老化防止剤、シリカ又は炭酸カルシウム等の充填剤等、通常ゴムに添加され得る材料を加えてもよい。通常ゴムに添加される材料を添加した混合物を、導電性のシャフトの周面に被覆することにより形成される。抵抗値の調整を目的とした導電剤として、マトリックス材に配合されるカーボンブラックやイオン導電剤等の電子及びイオンの少なくとも一方を電荷キャリアとして電気伝導する材料を分散したもの等が用いられる。また、弾性材は発泡体であってもかまわない。
【００７３】
導電性弾性層を構成する弾性材としては、例えばゴム材中に導電剤を分散させることによって形成される。ゴム材としては、例えば、シリコーンゴム、エチレンプロピレンゴム、エピクロルヒドリン−エチレンオキシド共重合ゴム、エピクロルヒドリン−エチレンオキシド−アリルグリシジルエーテル共重合ゴム、アクリロニトリル−ブタジエン共重合ゴム及びこれらのブレンドゴムが好適に挙げられる。これらのゴム材は発泡したものであっても無発泡のものであってもよい。
【００７４】
導電剤としては、電子導電剤やイオン導電剤が用いられる。電子導電剤の例としては、ケッチェンブラック、アセチレンブラック等のカーボンブラック；熱分解カーボン、グラファイト；アルミニウム、銅、ニッケル、ステンレス鋼等の各種導電性金属又は合金；酸化スズ、酸化インジウム、酸化チタン、酸化スズ−酸化アンチモン固溶体、酸化スズ−酸化インジウム固溶体等の各種導電性金属酸化物；絶縁物質の表面を導電化処理したもの；などの微粉末が挙げられる。また、イオン導電剤の例としては、テトラエチルアンモニウム、ラウリルトリメチルアンモニウム等の過塩素酸塩、塩素酸塩等；リチウム、マグネシウム等のアルカリ金属、アルカリ土類金属の過塩素酸塩、塩素酸塩等；が挙げられる。
【００７５】
これらの導電剤は、単独で用いてもよく、２種以上を組み合わせて用いてもよい。また、その添加量は特に制限はないが、電子導電剤の場合は、ゴム材１００質量部に対して、１質量部以上６０質量部以下の範囲であることが望ましく、一方、イオン導電剤の場合は、ゴム材１００質量部に対して、０．１質量部以上５．０質量部以下の範囲であることが望ましい。
【００７６】
帯電部材の表面は、表面層を形成させてもよい。表面層の材料としては、樹脂、ゴム等の何れを用いてもよく特に限定するものではない。例えば、ポリフッ化ビニリデン、４フッ化エチレン共重合体、ポリエステル、ポリイミド、共重合ナイロンが好適に挙げられる。
共重合ナイロンは、６１０ナイロン、１１ナイロン、１２ナイロン、の内のいずれか１種又は複数種を重合単位として含むものであって、この共重合体に含まれる他の重合単位としては、６ナイロン、６６ナイロン等が挙げられる。ここで、６１０ナイロン、１１ナイロン、１２ナイロンよりなる重合単位が共重合体中に含まれる割合は、重量比で合わせて１０％以上であるのが望ましい。
【００７７】
高分子材料は単独で用いてもよく、２種以上を混合して用いてもよい。また、当該高分子材料の数平均分子量は、１，０００以上１００，０００以下の範囲であることが望ましく、１０，０００以上５０，０００以下の範囲であることがより望ましい。
【００７８】
また表面層には導電性材料を含有させ、抵抗値を調整してもよい。該導電性材料としては、粒径が３μｍ以下であるものが望ましい。
【００７９】
また、抵抗値の調整を目的とした導電剤として、マトリックス材に配合されるカーボンブラックや導電性金属酸化物粒子、あるいはイオン導電剤等の電子及びイオンの少なくとも一方を電荷キャリアとして電気伝導する材料を分散したもの等を用いてもよい。
【００８０】
導電剤のカーボンブラックとして、具体的には、デグサ社製の「スペシャルブラック３５０」、同「スペシャルブラック１００」、同「スペシャルブラック２５０」、同「スペシャルブラック５」、同「スペシャルブラック４」、同「スペシャルブラック４Ａ」、同「スペシャルブラック５５０」、同「スペシャルブラック６」、同「カラーブラックＦＷ２００」、同「カラーブラックＦＷ２」、同「カラーブラックＦＷ２Ｖ」、キャボット社製「ＭＯＮＡＲＣＨ１０００」、キャボット社製「ＭＯＮＡＲＣＨ１３００」、キャボット社製「ＭＯＮＡＲＣＨ１４００」、同「ＭＯＧＵＬ−Ｌ」、同「ＲＥＧＡＬ４００Ｒ」等が挙げられる。
カーボンブラックはｐＨ４．０以下が望ましい。
【００８１】
抵抗値を調整するための導電性粒子である導電性金属酸化物粒子は、酸化錫、アンチモンがドープされた酸化錫、酸化亜鉛、アナターゼ型酸化チタン、ＩＴＯ等の導電性を有した粒子で、電子を電荷キャリアとする導電剤あれば何れも用いることができ、特に限定されるものではない。これらは、単独で用いても２種類以上を併用してもよい。また、何れの粒径であってもよいが、望ましくは酸化錫、アンチモンドープがされた酸化錫、アナターゼ型酸化チタンであり、更に、酸化錫、アンチモンドープがされた酸化錫が望ましい。
【００８２】
さらに、表面層には、フッ素系あるいはシリコーン系の樹脂が好適に用いられる。特に、フッ素変性アクリレートポリマーで構成されることが望ましい。また、表面層の中に粒子を添加してもよい。また、アルミナやシリカ等の絶縁性粒子を添加して、帯電部材の表面に凹部を付与し、感光体との摺擦時の負担を小さくして帯電部材と感光体相互の耐磨耗性を向上させてもよい。
【００８３】
記載の帯電部材の外径としては８ｍｍ以上１６ｍｍ以下が望ましい。また、外径の測定方法としては市販のノギスやレーザー方式外径測定装置を用いて測定される。
【００８４】
記載の帯電部材のマイクロ硬度は４５°以上６０°以下が望ましい。低硬度化にする為には可塑剤添加量を増量する方法、シリコーンゴム等の低硬度の材料を使用することが考えられる。
【００８５】
また、帯電部材のマイクロ硬度は高分子計器株式会社製ＭＤ−１型硬度計にて測定した値を用いている。
【００８６】
なお、本実施形態に係る画像形成装置では、感光体（像保持体）、帯電装置（帯電部材と清掃部材とのユニット）、現像装置、清掃ブレード（クリーング装置）を備えたプロセスカートリッジを説明したが、これに限られず、帯電装置（帯電部材と清掃部材とのユニット）を備え、その他必要に応じて、感光体（像保持体）、露光装置、転写装置、及び現像装置、清掃ブレード（クリーング装置）から選択されるものを備えたプロセスカートリッジとしてもよい。なお、これら装置や部材をカートリッジ化せず、画像形成装置に直接配置した形態であってもよい。
【００８７】
また、本実施形態に係る画像形成装置では、帯電装置として、帯電部材と清掃部材とのユニットで構成した形態を説明したが、つまり、被清掃部材として帯電部材を採用した形態を説明したが、これに限られず、被清掃部材としては、感光体（像保持体）、転写装置（転写部材；転写ロール）、中間転写体（中間転写ベルト）が挙げられる。そして、これら被清掃部材とこれに接触して配置される清掃部材とのユニットを、画像形成装置に直接配置してもよいし、上記同様にプロセスカートリッジのようにカートリッジ化して画像形成装置に配置してもよい。
【００８８】
また、本実施形態に係る画像形成装置は、上記構成に限られず、中間転写方式の画像形成装置等、周知の画像形成装置を採用してもよい。
【実施例】
【００８９】
以下に実施例を挙げて本発明を具体的に説明するが、本発明はこれらの実施例に限定されるものではない。
【００９０】
［［実施例１］］
［実施例１−１］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅６ｍｍ、長さ７５７ｍｍの短冊になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ、巻き付け角度６３°で、シート全長が０〜５％程度伸びるように張力を付与しつつ巻き付けて、螺旋状に配置した弾性層を形成し、クリーニングロールを作製した。
【００９１】
（帯電ロールの作製）
−弾性層の形成−
下記混合物をオープンロールで混練りし、ＳＵＳ４１６からなる直径６ｍｍの導電性支持体表面に、厚さ３ｍｍとなるように円筒状に被覆し、内径１８．０ｍｍの円筒型の金型に入れ、１７０℃で３０分間加硫させ、金型から取り出した後、研磨し円筒状の導電性弾性層Ａを得た。
・ゴム材  ・・・・１００質量部
（エピクロルヒドリン−エチレンオキシド−アリルグリシジルエーテル共重合ゴム）Ｇｅｃｈｒｏｎ３１０６：日本ゼオン社製）
・導電剤（カーボンブラック  アサヒサーマル：旭カーボン社製）・・・・・２５質量部
・導電剤（ケッチェンブラックＥＣ：ライオン社製）  ・・・・・・８質量部
・イオン導電剤（過塩素酸リチウム）  ・・・・・・１質量部
・加硫剤（硫黄）２００メッシュ：鶴見化学工業社製  ・・・・・・１質量部
・加硫促進剤（ノクセラーＤＭ：大内新興化学工業社製）  ・・・・２．０質量部
・加硫促進剤（ノクセラーＴＴ：大内新興化学工業社製）  ・・・・０．５質量部
【００９２】
−表面層の形成−
下記混合物をビーズミルにて分散し得られた分散液Ａを、メタノールで希釈し、導電性弾性層Ａの表面に浸漬塗布した後、１４０℃で１５分間加熱乾燥し、厚さ４μｍの表面層を形成し、導電性ロールを得た。これを帯電ロールとした。
・高分子材料  ・・・・１００質量部
（共重合ナイロン）アラミンＣＭ８０００：東レ社製
・導電剤  ・・・・・３０質量部
（アンチモンドープ酸化スズ）ＳＮ−１００Ｐ：石原産業社製
・溶剤（メタノール）  ・・・・５００質量部
・溶剤（ブタノール）  ・・・・２４０質量部
【００９３】
［実施例１−２］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅６ｍｍ、長さ７０５ｍｍの短冊になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ、巻き付け角度６１°で、シート全長が０〜５％程度伸びるよう張力を付与しつつ巻き付けて、螺旋状に配置した弾性層を形成し、クリーニングロールを作製した。
（帯電ロールの作製）
実施例１−１と同一の物を使用した。
【００９４】
［実施例１−３］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅１０ｍｍ、長さ３６０ｍｍの短冊になるように切り出す。この短冊を段付金属シャフト（外径φ６、全長６０４ｍｍ、軸受け部の外径φ４、長さ６ｍｍのシャフトを使用。発泡ウレタンの有効長は３２０ｍｍ。）へ、巻き付け角度５８°で、シート全長が０〜５％程度伸びるように張力を付与しつつ巻き付けて、螺旋状に配置した弾性層を形成し、クリーニングロールを作製した。
（帯電ロールの作製）
実施例１−１と同一の物を使用した。
［実施例１−４］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅６ｍｍ、長さ４１８ｍｍの短冊になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ、巻き付け角度４０°で、シート全長が０〜５％程度伸びるように張力を付与しつつ巻き付けて、螺旋状に配置した弾性層を形成し、クリーニングロールを作製した。
（帯電ロールの作製）
実施例１−１と同一の物を使用した。
【００９５】
［実施例１−５］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅１０ｍｍ、長さ３５３ｍｍの短冊になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ、巻き付け角度２５°で、シート全長が０〜５％程度伸びるように張力を付与しつつ巻き付けて螺旋状に配置した弾性層を形成し、クリーニングロールを作製した。
（帯電ロールの作製）
実施例１−１と同一の物を使用した。
【００９６】
［実施例１−６］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅４ｍｍ、長さ３５３ｍｍの短冊になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ、巻き付け角度２５°で、シート全長が０〜５％程度伸びるように張力を付与しつつ巻き付けて、更に巻き付けた短冊の両側（幅方向両端部）に、それぞれ両面テープが付いた厚さ２．６５ｍｍ、幅２ｍｍの同一発泡ウレタンシートの短冊をシート全長が０〜５％程度伸びるように張力を付与しつつ巻き付けて、螺旋状に配置した弾性層を形成し、クリーニングロールを作製した。
（帯電ロールの作製）
実施例１−１と同一の物を使用した。
【００９７】
［実施例１−７］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅４ｍｍ、長さ３５３ｍｍの短冊になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ、巻き付け角度２５°で、シート全長が０〜５％程度伸びるように張力を付与しつつ巻き付けて、更に巻き付けた短冊の両側（幅方向両端部）に、それぞれ両面テープが付いた厚さ２．７５ｍｍ、幅２ｍｍの同一発泡ウレタンシートの短冊をシート全長が０〜５％程度伸びるように張力を付与しつつ巻き付けて、螺旋状に配置した弾性層を形成し、クリーニングロールを作製した。
（帯電ロールの作製）
実施例１−１と同一の物を使用した。
【００９８】
［実施例１−８］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅４ｍｍ、長さ３５３ｍｍの短冊になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ、巻き付け角度２５°で、シート全長が０〜５％程度伸びるように張力を付与しつつ巻き付けて、更に巻き付けた短冊の両側（幅方向両端部）に、それぞれ両面テープが付いた厚さ３．０５ｍｍ、幅２ｍｍの同一発泡ウレタンシートの短冊をシート全長が０〜５％程度伸びるように張力を付与しつつ巻き付けて、螺旋状に配置した弾性層を形成し、クリーニングロールを作製した。
（帯電ロールの作製）
実施例１−１と同一の物を使用した。
【００９９】
［比較例１−１］
（クリーニングロール作製）
発泡ウレタン（ＥＰＭ−７０；株式会社イノアックコーポレーション社製）の角材にドリルにてΦ５ｍｍの穴を開け、接着剤を塗布した外径６ｍｍのシャフト（外径φ６、全長３３７ｍｍ、軸受け部の外径φ４、長さ６ｍｍのシャフトを使用。発泡ウレタンの有効長は３２０ｍｍ。）を挿入し、その後研磨することで、外径１０ｍｍの発泡ロールを作製した。このロールに切削加工を施し、螺旋幅１０ｍｍ・螺旋角度２５°で螺旋状に配置した弾性層を形成し、クリーニングロールを作製した。
（帯電ロールの作製）
実施例１−１と同一の物を使用した。
【０１００】
［比較例１−２］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅６ｍｍ、長さ３６０ｍｍの短冊になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ巻き付け角度２５°で、シート全長が０〜５％程度伸びるように張力を付与しつつ巻き付けて、更に巻き付けた短冊（弾性層）の両側（幅方向両端部）に、それぞれ厚さ３．３ｍｍ、幅２ｍｍの同一発泡ウレタンシートの短冊をシート全長が０〜５％程度伸びるように張力を付与しつつ巻き付けて、螺旋状に配置した弾性層を形成し、クリーニングロールを作製した。
（帯電ロールの作製）
実施例１−１と同一の物を使用した。
【０１０１】
［評価］
各例で作製したクリーングロールの弾性層特性を調べ、表１に一覧にして示す。
また、カラー複写機ＤｏｃｕＣｅｎｔｒｅ−ＩＩＩ  Ｃ３３００：富士ゼロックス社製に、上記各例で作製したクリーニングロール・帯電ロールを装着した。
Ａ４  ３００，０００枚印字テストした。画質評価は、１００，０００、２００，０００、３００，０００枚印字後にハーフトーン画像中での帯電ロールのクリーニングムラによる濃度ムラ（クリーニング性）、クリーニングロール片による色点が無いかを以下の基準で判定した。結果を表１に示す。
【０１０２】
−クリーニング性：判断基準−
○：画質上の濃度ムラ未発生
△：画質上の濃度ムラが軽微であるが発生
×：画質上濃度ムラが発生
【０１０３】
−色点：判断基準−
○：画質上色点発生無し
×：画質上色点発生あり
【０１０４】
【表１】
0005522286.tif 000002
【０１０５】
上記結果から、実施例１−１〜１−８で作製したクリーニングロールでは、比較例１−１、１−２のクリーニングロールよりもクリーニング性が優れていることがわかった。また、実施例１−１〜１−８で作製したクリーニングロールでは、研磨したクリーニングロールで発生する研磨片による色点の発生がなく、この点に関しても比較例１−１のクリーニングロールよりも優れていることがわかった。
【０１０６】
［［実施例２］］
［実施例２−１］
（クリーニングロール作製）
発泡ウレタン（ＢＦ−１５０；株式会社イノアックコーポレーション社製）シートを用いた以外は、実施例１−５と同様にしてクリーニングロールを作製した。
（帯電ロールの作製）
実施例１−１と同一の物を使用した。
【０１０７】
［実施例２−２］
（クリーニングロール作製）
実施例１−５と同様のものを使用した（発泡ウレタン（ＥＰＭ−７０；株式会社イノアックコーポレーション社製）シートを用いたクリーニングロール）。
（帯電ロールの作製）
実施例１−１と同一の物を使用した。
【０１０８】
［実施例２−３］
（クリーニングロール作製）
発泡ウレタン（ＲＳＭ−５５；株式会社イノアックコーポレーション社製）シートを用いた以外は、実施例１−５と同様にしてクリーニングロールを作製した。
（帯電ロールの作製）
実施例１−１と同一の物を使用した。
【０１０９】
［実施例２−４］
（クリーニングロール作製）
発泡ウレタン（ＳＰ８０；株式会社イノアックコーポレーション社製）シートを用いた以外は、実施例１−５と同様にしてクリーニングロールを作製した。
（帯電ロールの作製）
実施例１−１と同一の物を使用した。
【０１１０】
［比較例２−１］
（クリーニングロール作製）
発泡ウレタン（ＢＦ−１５０；株式会社イノアックコーポレーション社製）の角材にドリルにてΦ５ｍｍの穴を開け、接着剤を塗布した外径６ｍｍのシャフトを挿入し、その後、切削加工を施すことで、外径１０ｍｍの発泡ロールを作製した。これをクリーニングロールとした。
（帯電ロールの作製）
実施例１−１と同一の物を使用した。
【０１１１】
［比較例２−２］
（クリーニングロール作製）
発泡ウレタン（ＥＰＭ−７０；株式会社イノアックコーポレーション社製）の角材にドリルにてΦ５ｍｍの穴を開け、接着剤を塗布した外径６ｍｍのシャフトを挿入し、その後、切削加工を施し、外径１０ｍｍの発泡ロールを作製した。これをクリーニングロールとした。
（帯電ロールの作製）
実施例１−１と同一の物を使用した。
【０１１２】
［比較例２−３］
（クリーニングロール作製）
発泡ウレタン（ＲＳＭ−５５；株式会社イノアックコーポレーション社製）の角材にドリルにてΦ５ｍｍの穴を開け、接着剤を塗布した外径６ｍｍのシャフトを挿入し、その後、切削加工を施すことで、外径１０ｍｍの発泡ロールを作製した。これをクリーニングロールとした。
（帯電ロールの作製）
実施例１−１と同一の物を使用した。
【０１１３】
［比較例２−４］
（クリーニングロール作製）
発泡ウレタン（ＳＰ８０；株式会社イノアックコーポレーション社製）の角材にドリルにてΦ５ｍｍの穴を開け、接着剤を塗布した外径６ｍｍのシャフトを挿入し、その後、切削加工を施すことで、外径１０ｍｍの発泡ロールを作製した。これをクリーニングロールとした。
（帯電ロールの作製）
実施例１−１と同一の物を使用した。
【０１１４】
［評価］
各例で作製したクリーングロールの弾性層組成について、表２に一覧にして示す。
そして、各例で作製しクリーニングロール・帯電ロールを用いて、以下の評価を行った。結果を表２に示す。
【０１１５】
（保管後画質欠陥）
カラー複写機ＤｏｃｕＣｅｎｔｒｅ−ＩＩＩ  Ｃ３３００：富士ゼロックス社製用プロセスカートリッジに、各例で作製したクリーニングロール・帯電ロールを装着した。本プロセスカートリッジを３０℃／７５％環境下に１０日放置した後にハーフトーン画質にて濃度ムラの有無を下記の基準で確認した。
−画質欠陥：判断基準−
○：画質上の濃度ムラ未発生
△：画質上の濃度ムラが発生するが、許容できるレベル
×：画質上濃度ムラが発生し、許容できないレベル
【０１１６】
（クリーニング性・色点）
カラー複写機ＤｏｃｕＣｅｎｔｒｅ−ＩＩＩ  Ｃ３３００：富士ゼロックス社製に、各例で作製したクリーニングロール・帯電ロールを装着した。
Ａ４  ３００，０００枚印字テストした。画質評価は、３００，０００枚後にハーフトーン画像中での帯電ロールのクリーニングムラによる濃度ムラ（クリーニング性）、クリーニングロール片による色点が無いかを以下の基準で判定した。
【０１１７】
−クリーニング性：判断基準−
○：画質上の濃度ムラ未発生
△：画質上の濃度ムラが軽微であるが発生
×：画質上濃度ムラが発生
【０１１８】
−色点：判断基準−
○：画質上色点発生無し
×：画質上色点発生あり
【０１１９】
（湿熱劣化）
各例で作製したクリーニングロールを７０℃／９５％環境下に１ヶ月間放置した後、クリーニングロールをプロセスカートリッジへ取り付て、ハーフトーン画質の画出しを行い、以下の基準で判定した。
−湿熱劣化：判断基準−
○：画質上の濃度ムラ未発生
△：画質上の濃度ムラが軽微であるが発生
×：画質上濃度ムラが発生
【０１２０】
【表２】
0005522286.tif 000003
【０１２１】
上記結果から、実施例２−１〜２−４で作製したクリーングロールでは、比較例２−１〜２−４で作製したクリーニングロールよりもクリーニング性が優れていることがわかった。
また、実施例２−１〜２−４で作製したクリーニングロールでは、研磨したクリーニングロールで発生する研磨片による色点の発生がなく、この点に関しても比較例２−１〜２−４で作製したクリーニングロールよりも優れていることがわかった。
また、実施例２−１で作製したクリーニングロールでは、実施例２−２〜２−４で作製したクリーニングロールよりも保管後の画質欠陥、湿熱劣化について優れていることがわかった。
【０１２２】
［［実施例３］］
［実施例３−１］
（クリーニングロール作製）
厚さ２ｍｍの発泡ウレタン（ＥＰＭ−７０；株式会社イノアックコーポレーション社製）シートに厚み０．２ｍｍの両面テープを貼付け、幅６ｍｍ、長さ７５７ｍｍで図７に示す形状の短冊になるように切り出す。ここで、短冊は、θｃ＝４５°、θｅ１＝θｅ２＝２６°、Ｒｃ＝６ｍｍ、Ｒｅ１＝Ｒｅ２＝６ｍｍとなる形状とした（図７参照）。なお、短冊の中央部の長さは、２９０ｍｍ、第１端部及び第２端部の長さは５３ｍｍとした。
この短冊を段付金属シャフト（外径φ６、全長３３７ｍｍ、軸受け部の外径φ４、長さ６ｍｍのシャフトを使用。発泡ウレタンの有効長は３２０ｍｍ。）へ、シート全長が０〜５％程度伸びるように張力を付与しつつ巻き付けて、螺旋状に配置した弾性層を形成し、クリーニングロールを作製した。
【０１２３】
（帯電ロールの作製）
実施例１−１と同一の物を使用した。
【０１２４】
［実施例３−２］
（クリーニングロール作製）
厚さ２ｍｍの発泡ウレタン（ＢＦ−１５０；株式会社イノアックコーポレーション社製）シートに厚み０．２ｍｍの両面テープを貼付け、幅６ｍｍ、長さ７５７ｍｍの短冊（直線状の短冊）になるように切り出す。この短冊を段付金属シャフト（外径φ６、全長３３７ｍｍ、軸受け部の外径φ４、長さ６ｍｍのシャフトを使用。発泡ウレタンの有効長は３２０ｍｍ。）へ、シャフト軸方向の両端部における巻き付け角度２６°、中央部における巻き付け角度４５°で、シート全長が０〜５％程度伸びるように張力を付与しつつ巻き付けて、螺旋状に配置した弾性層を形成し、クリーニングロールを作製した。
【０１２５】
（帯電ロールの作製）
実施例１−１と同一の物を使用した。
【０１２６】
［評価］
各例で作製したクリーングロールの弾性層特性を調べ、表３に一覧にして示す。
また、カラー複写機ＤｏｃｕＣｅｎｔｒｅ−ＩＩＩ  Ｃ３３００：富士ゼロックス社製に、上記各例で作製したクリーニングロール・帯電ロールを装着した。
Ａ４  ３００，０００枚印字テストした。画質評価は、１００，０００、２００，０００、３００，０００枚印字後にハーフトーン画像中での帯電ロールのクリーニングムラによる濃度ムラ（クリーニング性）、クリーニングロール片による色点が無いかを以下の基準で判定した。結果を表４に示す。
【０１２７】
−クリーニング性：判断基準−
○：画質上の濃度ムラ未発生
△：画質上の濃度ムラが軽微であるが発生
×：画質上濃度ムラが発生
【０１２８】
−色点：判断基準−
○：画質上色点発生無し
×：画質上色点発生あり
【０１２９】
また、温度１０℃、湿度１５％ＲＨの環境下で、帯電ロールの放電電流量を調整し、白点が発生しない最小電流量を測定した。結果を表４に示す。
【０１３０】
なお、表３及び表４には、実施例１−１で作製したクリーニングロールを用いた評価結果も示す。
【０１３１】
【表３】
0005522286.tif 000004
【０１３２】
【表４】
0005522286.tif 000005
【０１３３】
上記結果から、実施例３−１、３−２は、実施例１−１に比べ、最小電流値が低い結果が得られ、このことから、帯電ロールの感光体に対する接触圧（ニップ圧）の軸方向における不均一性が抑制されていることがわかる。
【符号の説明】
【０１３４】
１０  画像形成装置、１２  感光体、１４  帯電ロール、１４Ａ  シャフト、１４Ｂ  弾性層、１６  露光装置、１９Ｙ、１９Ｍ、１９Ｃ、１９Ｋ  現像装置、２０  用紙搬送ベルト、２２  転写装置、２４  記録媒体、６４  定着装置、６６  排出ロール、６８  排出部、７０  用紙搬送路、７２  搬送ロール、８０  清掃ブレード、１００  清掃部材、１００Ａ  シャフト、１００Ｂ  弾性層
【図２】
0005522286.tif 000006
【図３】
0005522286.tif 000007
【図４】
0005522286.tif 000008
【図５】
0005522286.tif 000009
【図６】
0005522286.tif 000010
【図７】
0005522286.tif 000011
【図８】
0005522286.tif 000012
【図１】
0005522286.tif 000013
【図９】
0005522286.tif 000014
【図１０】
0005522286.tif 000015